(57)【要約】【課題】ＣＢＣＴ撮影等のための乳房の圧迫を安全に行える乳房撮影装置を提供する。【解決手段】乳房撮影装置は、放射線発生部と、前記放射線発生部に対向して配置された放射線検出部とを有する放射線撮影部と、放射線撮影部を回転させる回転部と、放射線発生部と放射線検出部との間に被検者の乳房を挿入する開口を有した保護パネルと、保護パネルに設置され、開口から挿入された乳房を第１の部材と第２の部材の間に挟んで圧迫する圧迫部とを備える。【選択図】  図１
2017012409.tif 000002
【特許請求の範囲】
【請求項１】
放射線発生部と、前記放射線発生部に対向して配置された放射線検出部とを有する放射線撮影手段と、
前記放射線撮影手段を回転させる回転手段と、
前記放射線発生部と前記放射線検出部との間に被検者の乳房を挿入する開口を有した保護パネルと、
前記保護パネルに設置され、前記開口から挿入された乳房を第１の部材と第２の部材の間に挟んで圧迫する圧迫手段とを備えることを特徴とする乳房撮影装置。
【請求項２】
前記第１の部材は圧迫方向へ移動可能であり前記保護パネルの被検者側の面から前記放射線撮影手段の撮影範囲に延びていることを特徴とする請求項１に記載の乳房撮影装置。
【請求項３】
前記第１の部材を移動させる移動機構が前記保護パネルの前面または背面に沿うように設けられていることを特徴とする請求項１または２に記載の乳房撮影装置。
【請求項４】
前記第２の部材は、前記開口から挿入された乳房を下側から支えるための乳房トレイであり、前記保護パネルに対して移動しないことを特徴とする請求項１乃至3のいずれか１項に記載の乳房撮影装置。
【請求項５】
前記乳房トレイは、前記保護パネルと一体的、もしくは前記保護パネルに対して隙間なく設置されていることを特徴とする請求項４に記載の乳房撮影装置。
【請求項６】
前記保護パネルを移動する移動手段をさらに備え、
前記保護パネルと前記乳房トレイは一体的に移動し、前記乳房トレイと前記放射線撮影手段の撮影範囲との相対位置が変化することを特徴とする請求項４または５に記載の乳房撮影装置。
【請求項７】
前記放射線撮影手段を前記回転手段による回転が可能に収容する固定フレームを備え、
前記移動手段は、前記保護パネルを前記固定フレームに対して移動させることを特徴とする請求項６に記載の乳房撮影装置。
【請求項８】
前記圧迫手段は、前記第１の部材を移動させる移動機構が、前記保護パネルの中心をとおり前記第１の部材の移動方向を有する線の両側に設けられていることを特徴とする請求項１乃至７のいずれか１項に記載の乳房撮影装置。
【請求項９】
前記圧迫手段は、前記第１の部材を移動させる移動機構が、前記保護パネルの中心をとおり前記第１の部材の移動方向を有する線上に設けられていることを特徴とする請求項１乃至７のいずれか１項に記載の乳房撮影装置。
【請求項１０】
前記第１の部材を移動させる移動機構は、操作者の操作入力を前記第１の部材の移動に変換する機構を有することを特徴とする請求項１乃至９のいずれか１項に記載の乳房撮影装置。
【請求項１１】
前記第２の部材も圧迫方向へ移動可能であり、前記保護パネルの被検者側の面から前記放射線撮影手段の撮影範囲に延びていることを特徴とする請求項１乃至１０のいずれか１項に記載の乳房撮影装置。
【請求項１２】
前記保護パネルに前記圧迫手段を操作するための操作部を設けたことを特徴とする請求項１乃至１０のいずれか１項に記載の乳房撮影装置。
【請求項１３】
前記放射線撮影手段を前記回転手段による回転が可能に収容する固定フレームを備え、
前記固定フレームに前記圧迫手段を操作するための操作部を設けたことを特徴とする請求項１乃至１０のいずれか１項に記載の乳房撮影装置。
【請求項１４】
前記放射線撮影手段を前記回転手段による回転が可能に収容する固定フレームと、
前記固定フレームを支持する支柱とを備え、
前記固定フレームと前記支柱が前記放射線撮影手段の回転面と平行な方向に並んでいることを特徴とする請求項１乃至１３のいずれか１項に記載の乳房撮影装置。
【発明の詳細な説明】
【技術分野】
【０００１】
本発明は、たとえば乳房のＣＢＣＴ撮影を行うのに好適な乳房撮影装置に関する。
【背景技術】
【０００２】
乳がんのＸ線検査装置として、マンモグラム装置が標準的に使用されてきた。しかし、マンモグラムは、デンスブレスト（乳腺の多い乳房）の場合は、病変部と乳腺構造が重なり合って感度、特異度が低下することが知られている。このマンモグラムの欠点を補う技術として、乳房専用ＣＢＣＴ装置が注目されている。乳房専用ＣＢＣＴ装置は、乳房の３Ｄ画像を提供するものであり、これにより病変部と乳腺構造を分離して観察することができるようになる。
【０００３】
特許文献１には、マンモグラム撮影を行うマンモグラム撮影モード、乳房ＣＢＣＴ撮影を行うＣＴモード、および乳房トモシンセシス撮影を行うトモシンセシスモードからなるマルチモードで撮影可能な装置が提案されている。特許文献１によれば、２つの向かい合う圧迫面の間で、直立した患者の乳房を固定化するように構成される乳房固定化ユニットと、乳房固定化ユニットの一方の側に配置されたＸ線源と、他方の側に配置されたＸ線撮像受像器とを有する。そして、圧迫面で固定化された患者の乳房の周りをＸ線源とＸ線撮像受像器が選択された撮影モードに応じて回転移動して撮影が行われる。
【先行技術文献】
【特許文献】
【０００４】
【特許文献１】特表２０１３−５３８６６８号公報
【発明の概要】
【発明が解決しようとする課題】
【０００５】
特許文献１のＣＢＣＴ撮影装置では、装置全体を覆うシールドが装着された場合、患者乳房を撮影に適する場所に固定させる際に、操作者が手で患者乳房に側面もしくは前面からアクセスして位置を調整することが困難である。また、装置内に挿入した被検者の乳房を直接観察したりアクセスしたりすることはできない。
【０００６】
本発明は、ＣＢＣＴ撮影等のための乳房の固定を安全に行なうことができるえる乳房撮影装置を提供することを目的とする。
【課題を解決するための手段】
【０００７】
上記の目的を達成するための本発明の位置態様による放射線撮影装置は以下の構成を備える。すなわち、
放射線発生部と、前記放射線発生部に対向して配置された放射線検出部とを有する放射線撮影手段と、
前記放射線撮影手段を回転させる回転手段と、
前記放射線発生部と前記放射線検出部との間に被検者の乳房を挿入する開口を有した保護パネルと、
前記保護パネルに設置され、前記開口から挿入された乳房を第１の部材と第２の部材の間に挟んで圧迫する圧迫手段とを備える。
【発明の効果】
【０００８】
本発明によれば、放射線撮影装置で被検者の乳房を固定する際、前面パネルと乳房固定装置の間の間隙に乳房皮膚面を挟むことなく安全に固定が行える。
【図面の簡単な説明】
【０００９】
【図１】第１実施形態による放射線撮影装置の構成を示す図。
【図２】第１実施形態の放射線撮影装置におけるＣＢＣＴ撮影の様子を示す図。
【図３】（ａ）は第３実施形態、（ｂ）は第４実施形態による放射線撮影装置の乳房圧迫板の駆動構造を説明する図。
【図４】（ａ）は第５実施形態、（ｂ）は第７実施形態による放射線撮影装置の乳房圧迫板の駆動構造を説明する図。
【図５】第８実施形態による放射線撮影装置の乳房圧迫板の駆動構造を説明する図。
【発明を実施するための形態】
【００１０】
以下、添付の図面を参照して本発明のいくつかの実施形態を説明する。
【００１１】
＜第１実施形態＞
図１（ａ）、（ｂ）は、第１実施形態による、立位または座位で乳房のＣＢＣＴ撮影を実行するための乳房撮影装置としての放射線撮影装置１０の構成例を示している。図１（ａ）は放射線撮影装置１０の乳房挿入側からみた正面図、図１（ｂ）は放射線撮影装置１０の側面図である。本実施形態の放射線撮影装置１０は、放射線発生部としての放射線発生器１０１と、放射線発生部に対向して配置された放射線検出部としての放射線検出器１０２とを有する放射線撮影部、放射線撮影部を回転させる回転部を有する。
【００１２】
本実施形態において、回転部はお互いに接した同心の複数の円形の構造からなり、最外側の構造は固定フレーム１０３であり、支柱１１１と固定され回転しない。なお、固定フレーム１０３の外形は円形でなくてもよい。固定フレーム１０３の内側に少なくとも一つの円形構造からなる回転フレーム１０４が設けられており、電動駆動装置とギア、ベルトを介して回転もしくはリニアモーター等を用いて固定フレーム１０３に対して回転する。このように、固定フレーム１０３は、放射線撮影部を回転部による回転が可能に収容する。回転フレーム１０４には、放射線発生器１０１を支持する発生器支持部１１５や放射線検出器１０２を支持する検出器支持部１０７が固定されており、回転フレーム１０４の回転により放射線撮影部の回転が実現される。装置前面には、被検者を回転機構への巻込みから保護するための保護パネル１１７が設置されている。保護パネル１１７は、放射線撮影部と放射線検出部との間に被検者の乳房を挿入する開口である乳房挿入口１１８を有し、放射線撮影部の回転面と被検者を隔離する。また本実施形態では、乳房挿入口１１８は、撮影範囲のうちのＣＢＣＴの回転中心に乳房を挿入できるように設けられている。なお、本実施形態では、乳房挿入口１１８は略円形である。
【００１３】
また、放射線撮影装置１０には、保護パネル１１７に設置され、乳房挿入口１１８から挿入された乳房を、第１の部材と第２の部材の間に挟んで圧迫する圧迫部が設けられている。本実施形態では、乳房を抑えるための第１の部材、第２の部材が上下に対向して配置され、第１の部材として乳房圧迫板１２２を、第２の部材として乳房トレイ１２１が用いられる。乳房を下部から支持する乳房トレイ１２１は保護パネル１１７と隙間なく接続されるか、一体化した構造としている。また、乳房圧迫板１２２は乳房を上部より押さえる可動式の圧迫板であり、保護パネル１１７の被検者側から装置内部（撮影範囲）へと延長する構造を有している。
【００１４】
図１（ａ）（ｂ）に示されるように、固定用の板１１４に支柱１１１が設けられている。なお、板１１４は建物のフロアであってもよいし、台車であってもよい。支柱１１１には、上述した放射線撮影部や固定フレーム１０３等を有するＣＢＣＴ撮影部１００の昇降および／またはチルトが可能なように固定軸１１０が接続されている。図示のように固定フレーム１０３と支柱１１１が放射線撮影部の回転面と平行な方向に並ぶようにＣＢＣＴ撮影部１００が固定される。これにより、操作者が保護パネル１１７の乳房挿入側の反対側から乳房の挿入状態を観察したり乳房へアクセスしたりすることを容易にしている。また、支柱１１１には表示出力および操作受付が可能なタッチパネル１１２と操作スイッチ群１１３が設置され、ＣＢＣＴ撮影部１００の昇降、チルト、管球角度調整、撮影開始、緊急停止等の操作や、乳房圧迫板の圧迫動作を操作することが可能である。
【００１５】
上述のように固定軸１１０の先端には、ＣＢＣＴ撮影部１００の固定フレーム１０３が取り付けられる。ＣＢＣＴ撮影部１００の固定フレーム１０３は、円弧状の回転モータ１０９（リニアモータ）を有し、回転モータ１０９にはベアリング（不図示）を介して回転フレーム１０４が回転可能に接続されている。回転フレーム１０４を内包するように固定フレーム１０３が設置される。また、固定フレーム１０３と回転フレーム１０４の間隙にはベアリングが配置され、固定フレーム１０３に内接して回転フレーム１０４が安定して回転できる構造となっている。固定フレーム１０３は固定軸１１０に固定的に連結される。回転フレーム１０４には、放射線発生器１０１、発生器支持部１１５、放射線検出器１０２、検出器支持部１０７が配置される。
【００１６】
放射線発生器１０１と放射線検出器１０２は乳房トレイ１２１を挟んで対向する位置に回転フレーム１０４で支持され、互いに位置関係を保持したまま任意の角度に回転させることが可能である。ＣＢＣＴ撮影部１００の前面には、放射線撮影部の回転面と被検者を隔離するように保護パネル１１７が設置され、回転フレーム１０４と共に回転する機構（放射線発生器１０１や放射線検出器１０２など）に被検者が巻き込まれないよう保護している。保護パネル１１７の中央にはＣＢＣＴ撮影の撮影範囲と同じ中心を持った乳房挿入口１１８が開口している。ここでは図示しないが保護パネル１１７は回転フレーム１０４の回転を妨げない位置で固定フレーム１０３に固定されている。保護パネル１１７は被検者の状態を観察しやすいよう透明な材料を用いてもよいし、被検者の放射線散乱線による被曝を防止するため、金属板や鉛ガラス等を用いてもよい。
【００１７】
被検者の乳房は乳房挿入口１１８から、放射線発生器１０１と放射線検出器１０２の間の撮影範囲内に挿入され、乳房トレイ１２１に載せて保持される。圧迫板駆動装置１２４は、乳房圧迫板１２２の両端を支持し、乳房圧迫板１２２を乳房トレイ１２１に向かう方向（上下方向）に移動させる装置である。圧迫板駆動装置１２４は、乳房圧迫板１２２と乳房トレイ１２１との距離を調整することができる。具体的には、乳房を固定するため保護パネル１１７上に被検者を挟むように左右に設置された圧迫板駆動装置１２４により乳房圧迫板１２２が下方に押され、乳房トレイ１２１上に保持された乳房を圧迫する。その際、左右に設置された圧迫板駆動装置１２４は連動し、同じ移動量で乳房圧迫板１２２を下方に押す。なお、圧迫板駆動装置１２４は左右に設置せず、乳房圧迫板１２２の真上に１つの構造であってもよい。乳房トレイ１２１と保護パネル１１７は乳房皮膚を挟まないよう、隙間なく接続されるか、一体化された構造となっていることが好ましい。また、圧迫板駆動装置１２４は図１（ｂ）に示すように保護パネル１１７に設置される。具体的には、圧迫板駆動装置１２４は保護パネル１１７の被検者側に設置される。
【００１８】
圧迫方向へ移動可能な乳房圧迫板１２２は、乳房挿入口１１８の内部に延伸している。また、乳房圧迫板１２２は、乳房挿入口１１８の内部において、被検者の乳房の形状に合わせて湾曲している。同様にして、乳房を下部から支持する乳房トレイ１２１は、乳房挿入口１１８の内部に延伸している。また、乳房トレイ１２１は、乳房挿入口１１８の内部において、被検者の乳房の形状に合わせて湾曲している。具体的には、乳房圧迫板１２２は、被検者の乳房挿入側から乳房挿入口１１８内を撮影範囲に向かって延びている。このように、圧迫方向へ移動可能な乳房圧迫板１２２が保護パネル１１７の被検者側の面から撮影範囲に延びているため、被検者の乳房皮膚を保護パネル１１７との間では挟まない構造となっている。また、乳房圧迫板１２２を移動させる移動機構（圧迫板駆動装置１２４や圧迫板駆動装置１２４と乳房圧迫板１２２を連結する構造）は保護パネル１１７の前面に沿うように設けられているが、保護パネル１１７の背面に沿うように設けられてもよい。
【００１９】
圧迫板駆動装置１２４にはトルクセンサーが内蔵され、乳房圧迫板１２２により加えられている圧力の最大値をタッチパネル１１２に表示する。その際に左右の乳房圧迫板１２２の圧力を別々に表示してもよい。更に最大値が設定トルクに到達したことを感知した場合は、圧迫板駆動装置１２４に更なる乳房圧迫が指示されても、圧迫を行わない。乳房トレイ１２１と乳房圧迫板１２２は円形の形状を圧迫するよう、図１（ａ）で図示するように中央が窪んだ形状になっており、更に図１（ｂ）で図示するよう先方に行くほど狭まる形状となっていて、半球状に近い乳房を保持するに適した形状となっている。またＣＢＣＴ撮影には円形の形状が撮影に適しており、上記構成により乳房を円形に近い形状に保持することができる。
【００２０】
撮影時に乳房を圧迫する際には、操作者は可能な限り乳房が撮影範囲に入るよう前方に引き込むように固定する。乳房トレイ１２１と乳房圧迫板１２２および被検者の乳房との関係を図２に示す。操作者は、被検者の乳房が適正に固定されたこと確認した後、被検者に撮影完了までできるだけ動かないように指示する。そして、操作者は放射線撮影装置が設置された部屋からから退室、もしくは不図示の操作卓に設けられた放射線遮蔽板の後方に退避し、撮影開始を指示する。放射線撮影（ＣＢＣＴ撮影）が開始すると、回転フレーム１０４の回転により放射線発生器１０１及び放射線検出器１０２を回転させながら、放射線発生器１０１より放射線（たとえばＸ線）を発生させ、放射線検出器１０２でこれを検出する。こうして乳房を透過した放射線は放射線検出器１０２でデジタル信号に変換され、各種画像処理が行われて診断用に提供される。
【００２１】
以上のような実施形態の放射線撮影装置によれば、圧迫のために移動する乳房圧迫板１２２は保護パネル１１７の被検者側から撮影空間へ延びるように構成されるため、移動中に被検者の乳房を保護パネル１１７と乳房圧迫板１２２の間に挟むことが無い。また、乳房トレイ１２１と保護パネル１１７の間にも隙間が無いようにしている。そのため、立位或いは座位に対応したＣＢＣＴ撮影において被検者の乳房を固定する際、前面パネルと乳房固定装置の間の間隙に乳房皮膚面を挟むことなく安全に固定が行える。また、乳房圧迫板１２２を移動させる移動機構が、保護パネル１１７の前面または背面に沿うように設けられている。そのため、乳房を固定するための圧迫部を支持する機構が乳房先端には存在しなくなり、保護パネル１１７の乳房挿入側の反対側から操作者が被検者の乳房へ容易にアクセスできる。そのため、被検査者の乳房の位置合わせが容易になり撮影のスループットが向上する。
【００２２】
＜第２実施形態＞
第１実施形態の放射線撮影装置１０においては、乳房トレイ１２１は保護パネル１１７に対して移動せず、乳房トレイ１２１と撮影範囲の相対的な位置関係は固定であった。第２実施形態では、乳房トレイ１２１の撮影範囲に対する位置を変更可能とする構成について説明する。乳房トレイ１２１は、保護パネル１１７に対して一体的に形成されている、あるいは、保護パネル１１７と隙間なく接続されている。したがって、保護パネル１１７を固定フレーム１０３に対して移動可能にすることで、乳房トレイ１２１と撮影範囲との間の相対位置（ＣＢＣＴ撮影の回転中心からの乳房トレイ１２１の位置）を変化させることができる。このような構成は、保護パネル１１７と固定フレーム１０３との間に、保護パネル１１７を移動する機構を設けることにより実現可能である。こうして、保護パネル１１７の全体が、たとえば上下（左右）方向に移動可能に固定フレーム１０３に装着されることで、乳房トレイ１２１の撮影範囲に対する移動が実現される。
【００２３】
＜第３実施形態＞
図３（ａ）は第３実施形態による乳房圧迫板１２２の構造を示す図である。第３実施形態では、第１実施形態と同様の構成の放射線撮影装置１０において乳房圧迫板１２２の形状を図３（ａ）のようにする。第１実施形態では、圧迫板駆動装置１２４と乳房圧迫板１２２を接続する部材が棒状部材として示されていたが、第３実施形態では、面状の部材を介して圧迫板と圧迫板駆動装置１２４が接続されている。すなわち、図示のような広くかたどられた。患者保護板付きの乳房圧迫板１２５が左右の圧迫板駆動装置１２４によって移動し、適切に乳房の固定を行う。このような患者保護板付きの乳房圧迫板１２５により、被検者の乳房皮膚が保護パネル１１７と移動する乳房圧迫板１２２で挟まれるような事態をより確実に防止することができる。
【００２４】
＜第４実施形態＞
図３（ｂ）は第４実施形態による乳房圧迫板１２２の構成を示す図である。第１実施形態や第２実施形態の乳房圧迫板１２２，１２５では、それらを移動させる移動機構である圧迫板駆動装置１２４が、保護パネル１１７の中心をとおり圧迫板の移動方向を有する線の両側に設けられている。これに対し、第４実施形態の乳房圧迫板１２６は、それを移動させる移動機構である圧迫板駆動装置１２４が、保護パネル１１７の中心をとおり圧迫板の移動方向を有する線上に設けられている。すなわち、第４実施形態は、第１実施形態と同様の放射線撮影装置１０において、１つの圧迫板駆動装置１２４が乳房挿入口１１８の上方に配置され、上方に延びた部材を有する乳房圧迫板１２６で被検者の乳房を上方から圧迫する構造を有する。第３実施形態の乳房圧迫板１２６によれば、第１実施形態では被検者の左右に存在していた圧迫板駆動装置１２４が無くなるので、被検者の体位を決定する際のポジショニングの自由度が増す。その際に上方からの乳房圧迫板１２６は上方に設置された圧迫板駆動装置１２４よりのびた板状の構造を持ち第１実施形態と同様に適切に乳房の固定を行う。
【００２５】
＜第５実施形態＞
図４（ａ）は、第５実施形態による乳房圧迫板の構成を示す図である。第５実施形態では、第１実施形態と同様の放射線撮影装置１０において乳房圧迫板１２２の駆動を手動式にしたものであり、乳房圧迫板１２２を移動させる移動機構が、操作者の操作入力を乳房圧迫板１２２の移動に変換する機構が設けられている。そのような機構の一例として、第５実施形態の圧迫板駆動装置１３０は、回転ハンドル１３１を用いて、乳房圧迫板１２２で乳房を圧迫する方向に移動させ、乳房の固定を行う。なお、圧迫板駆動装置１３０および回転ハンドル１３１は左右で連動する構造となっていてもよいし、単独で（左右別々に）動作してもよい。なお、上記では第１実施形態に示す乳房圧迫板１２２を手動式にした構成を示したが、これに限られるものではなく、第３〜第４実施形態の乳房圧迫板１２２、１２５、１２６を手動式にしてもよい。
【００２６】
＜第６実施形態＞
第１〜第４実施形態のいずれかの乳房圧迫板１２２の構造において、第５実施形態に示す手動式の圧迫板駆動装置１３０および回転ハンドル１３１の構成を圧迫板駆動装置１２４に内蔵してもよい。このような構成によれば、たとえば、乳房圧迫板１２２による被検者の乳房の大まかな圧迫を圧迫板駆動装置１２４にて行い、圧迫の微調整を手動式（圧迫板駆動装置１３０の回転ハンドル１３１）にて行うことができる。もしくは、乳房圧迫板１２２による被検者の乳房の大まかな圧迫を手動式（圧迫板駆動装置１３０の回転ハンドル１３１）にて行い、圧迫板駆動装置１２４にて圧迫の微調整を行うようにしてもよい。
【００２７】
＜第７実施形態＞
第１〜第６実施形態では、乳房圧迫板１２２が乳房トレイ１２１の方向へ移動して、固定された乳房トレイ１２１に載せられた乳房を圧迫する構成を示したが、これに限られるものではない。たとえば、乳房トレイ１２１に代えて、上下方向に移動可能な圧迫板を用いてもよい。図４（ｂ）は、第７実施形態による放射線撮影装置１０の乳房圧迫のための構成を説明する図である。第７実施形態の放射線撮影装置１０では、上方から下方へ圧迫するための乳房圧迫板１２２と圧迫板駆動装置１２４に加えて、下方から上方へ圧迫するための乳房圧迫板１３８とこれを駆動するための圧迫板駆動装置１３９が設けられている。乳房を下側から支える乳房圧迫板１３８を移動可能としたことにより、乳房を任意の高さで固定することができる。なお、図４（ｂ）では、第１実施形態による乳房圧迫板の移動機構に準じた構成を上下に設けた様子を示したが、他の実施形態の構成（たとえば図３（ａ），（ｂ））を用いて上下に乳房圧迫板を設けるようにしてもよいことは明らかである。
【００２８】
＜第８実施形態＞
上記第１〜第４、第７実施形態では、圧迫板駆動装置１２４による乳房圧迫板１２２の動作を操作スイッチ群１１３やタッチパネル１１２を用いて行うようにしたが、これに限られるものではない。圧迫板駆動装置１２４の近くに操作ボタンを配置して、操作性を向上するようにしてもよい。図５（ａ）〜（ｃ）は、第８実施形態による放射線撮影装置１０の乳房圧迫のための構成を示す図である。図５（ａ）に示すように、圧迫板駆動装置１２４の操作を、圧迫板駆動装置１２４上に設けた操作ボタン１３３を用いて行えるようにする。また、図５（ａ）では、左右の圧迫板駆動装置１２４の一方（図示の例では左側）に操作ボタン１３３を設けるようにしたがこれに限られるものではない。図５（ｂ）で示すように、左右両方の圧迫板駆動装置１２４上に操作ボタン１３３を設置してもよい。また、図５（ｃ）に示されるように、固定フレーム１０３上に取り付け部１３４を設け、そこに操作ボタン１３３を配置してもよい。また、固定フレーム１０３もしくは保護パネル１１７に操作部（操作ボタン１３３）を設置してもよい。なお、操作ボタン１３３は、たとえば、乳房圧迫板１２２の「上昇」「下降」「停止」を指示するボタンである。
【符号の説明】
【００２９】
１０１：放射線発生器、１０２：放射線検出器、１０３：固定フレーム、１０４：回転フレーム、１０７：検出器支持部、１０９：回転モータ、１１０：固定軸、１１１：支柱、１１２：タッチパネル、１１３：操作スイッチ群、１１５：発生器支持部、１１７：保護パネル、１１８：乳房挿入口、１２１：乳房トレイ、１２２：乳房圧迫板、１２４：圧迫板駆動装置
【図１】
2017012409.tif 000003
【図２】
2017012409.tif 000004
【図３】
2017012409.tif 000005
【図４】
2017012409.tif 000006
【図５】
2017012409.tif 000007